(57)【要約】【課題】フォーカス調節時の停止位置がばらついても、被写体にピントを合わせることを可能にするとともに、フォーカス調節の為の回路構成を簡素化でき、低コストにする。【解決手段】複数のレンズ群より成るズームレンズと、前記複数のレンズ群をズーム及びフォーカスの調節の為に作動させるレンズ駆動部材とを有し、前記レンズ駆動部材は、前記ズーム調節の為の前記複数のレンズ群の作動過程において、所定の範囲で、少なくとも、第１の被写体距離にピントを合せ続ける第１の領域２０ａ，２０ｃと前記第１の被写体距離よりも近距離側の第２の被写体距離にピントを合せ続ける第２の領域２０ｂ，２０ｄを有する。【選択図】　　　　図７
2004012959.tif 000002
【特許請求の範囲】
【請求項１】
複数のレンズ群より成るズームレンズと、前記複数のレンズ群をズーム及びフォーカスの調節の為に作動させるレンズ駆動部材とを有するカメラのレンズ装置において、
前記レンズ駆動部材は、前記ズーム調節の為の前記複数のレンズ群の作動過程において、所定の範囲で、少なくとも、第１の被写体距離にピントを合せ続ける第１の領域と前記第１の被写体距離よりも近距離側の第２の被写体距離にピントを合せ続ける第２の領域を有することを特徴とするカメラのレンズ装置。
【請求項２】
複数のレンズ群より成るズームレンズと、前記複数のレンズ群をズーム及びフォーカスの調節の為に作動させるレンズ駆動部材とを有するカメラのレンズ装置において、
前記レンズ駆動部材は、前記ズーム調節の為の前記複数のレンズ群の作動過程において、所定の範囲で、少なくとも、第１の被写体距離にピントを合せ続ける第１のカム領域と前記第１の被写体距離よりも近距離側の第２の被写体距離にピントを合せ続ける第２のカム領域を有するズームカムを有し、該ズームカムには、前記第１のカム領域と前記第２のカム領域が交互に連続して設けられていることを特徴とするカメラのレンズ装置。
【請求項３】
前記第１の領域と前記第２の領域は、切り換え可能な一つのズーム位置において何れかを選択可能なように設けられていることを特徴とする請求項２に記載のカメラのレンズ装置。
【請求項４】
請求項３に記載のレンズ装置と、被写体距離を測定する測距手段とを有し、
所望とされるズーム位置において、前記測距手段により得られる現在の被写体距離が前記第１の被写体距離に含まれる場合は、前記レンズ駆動部材を介して前記複数のレンズ群の一つを前記ズームカムの前記第１の領域に設定し、前記第２の被写体距離に含まれる場合は、前記レンズ駆動部材を介して前記複数のレンズ群の一つを前記ズームカムの前記第２の領域に設定して、フォーカス調節を行うことを特徴とするズームカメラ。
【請求項５】
請求項３に記載のレンズ装置と、被写体距離を測定する測距手段とを有し、
所望とされるズーム位置まで前記複数のレンズ群が作動させられた際、前記複数のレンズ群のうちのフォーカス調節に用いられるレンズ群は前記第１の領域に位置し、撮影時における現在の被写体距離が前記第１の被写体距離に含まれる場合は、直ちに撮影動作を実行し、撮影時における現在の被写体距離が前記第２の被写体距離に含まれる場合は、前記レンズ駆動部材を介して前記フォーカス調節に用いられるレンズ群を前記第１の領域から前記第２の領域まで作動させて撮影動作を実行することを特徴とするズームカメラ。
【発明の詳細な説明】
【０００１】
【発明の属する技術分野】
本発明は、ズームレンズを有するカメラのレンズ装置やズームカメラの改良に関するものである。
【０００２】
【従来の技術】
従来より、カメラのズームレンズのフォーカス制御に関して種々の提案がなされている。以下に図１３及び図１４を用いて簡単に説明する。
【０００３】
図１３は公知の二群タイプのズームレンズのワイド状態からテレ状態への作動時の様子を示す図である。
【０００４】
同図において、１０１は一群レンズ、１０２は二群レンズであり、図中左側のＷで示した各レンズ位置がワイド（広角）状態を、右側のＴで示した各レンズ位置がテレ（望遠）状態を、それぞれ示している。１０３は一群レンズ１０１の作動軌跡を示す線であり、１０４は二群レンズ１０２の作動軌跡を示す線である。
【０００５】
図１３に示すような二群ズームタイプのズームレンズで、被写体距離に合焦させるためのフォーカス制御手段として、被写体距離に対応した量、例えば図中１０５に示すような位置に一群レンズ１０１を繰り出す、所謂、前玉フォーカス方式が一般に知られている。
【０００６】
また、特開平３−２４８１１０号公報や特開平６−３１３８３１号公報等に、ズーム作動途中に、フォーカス動作を行うようにした構成のステップズーム鏡筒が提案されている。これについて、図１４を用いて説明する。
【０００７】
図１４において、１０６，１０７は各一群レンズ、二群レンズの作動軌跡を示す線であり、各レンズは省略してある。
【０００８】
１０８で示す線は二群レンズの本来の作動軌跡である。図中左側のＷで示すワイド端での作動について説明すると、撮影時にフォーカス制御のためにズームレンズ鏡筒が作動し、これに伴って一群レンズは１０６で示す作動軌跡の線に沿って繰り出される。このとき、二群レンズは１０７の作動軌跡を示す線の水平部分にかかっているため、繰り出しは行われず、一群レンズのみが繰り出されることによって、該ワイド状態において被写体距離に対応したフォーカス制御を行うことが出来る。
【０００９】
また、ズーム動作時は、Ｍ１，Ｍ２で示す中間位置、Ｔで示すテレ位置までズームレンズ鏡筒が繰り出され、各ズーム位置でのフォーカス制御についても前述のワイド状態と同様の作動により行われる。
【００１０】
【発明が解決しようとする課題】
しかしながら、図１３に示す従来の前玉フォーカス方式では、二群レンズ用の他に、一群レンズを作動させるための駆動機構やアクチュエータが必要となり、コストアップしたり、カメラが大型化するといった欠点を有していた。
【００１１】
また、図１４に示す従来のステップズーム方式では、ズーム鏡筒の停止位置制御を正確に行わなければならず、作動中の正確な位置検知等が必要となり、さらにその為の制御回路も複雑になり、コストアップになるといった欠点を有していた。
【００１２】
その他の従来例として、特開平８−９４９０７号公報に示されるようなステップズーム方式において、各ズームポジションにおける待機位置を被写体が無限の位置と至近の位置でピントが合う状態を交互に停止位置とする提案もなされているが、この従来例においても、撮影時のズーム鏡筒の停止位置制御を正確に行わなければならず、制御回路が複雑になり、コストアップになるといった欠点を有していた。
【００１３】
（発明の目的）
本発明の目的は、フォーカス調節時の停止位置がばらついても、被写体にピントを合わせることができると共に、フォーカス調節の為の回路構成を簡素化でき、低コストのカメラのレンズ装置及びズームカメラを提供しようとするものである。
【００１４】
【課題を解決するための手段】
上記目的を達成するために、請求項１に記載の発明は、複数のレンズ群より成るズームレンズと、前記複数のレンズ群をズーム及びフォーカスの調節の為に作動させるレンズ駆動部材とを有するカメラのレンズ装置において、前記レンズ駆動部材は、前記ズーム調節の為の前記複数のレンズ群の作動過程において、所定の範囲で、少なくとも、第１の被写体距離にピントを合せ続ける第１の領域と前記第１の被写体距離よりも近距離側の第２の被写体距離にピントを合せ続ける第２の領域を有するカメラのレンズ装置とするものである。
【００１５】
同じく上記目的を達成するために、請求項２に記載の発明は、複数のレンズ群より成るズームレンズと、前記複数のレンズ群をズーム及びフォーカスの調節の為に作動させるレンズ駆動部材とを有するカメラのレンズ装置において、前記レンズ駆動部材は、前記ズーム調節の為の前記複数のレンズ群の作動過程において、所定の範囲で、少なくとも、第１の被写体距離にピントを合せ続ける第１のカム領域と前記第１の被写体距離よりも近距離側の第２の被写体距離にピントを合せ続ける第２のカム領域を有するズームカムを有し、該ズームカムには、前記第１のカム領域と前記第２のカム領域が交互に連続して設けられているカメラのレンズ装置とするものである。
【００１６】
同じく上記目的を達成するために、請求項４に記載の発明は、請求項３に記載のレンズ装置と、被写体距離を測定する測距手段とを有し、所望とされるズーム位置において、前記測距手段により得られる現在の被写体距離が前記第１の被写体距離に含まれる場合は、前記レンズ駆動部材を介して前記複数のレンズ群の一つを前記ズームカムの前記第１の領域に設定し、前記第２の被写体距離に含まれる場合は、前記レンズ駆動部材を介して前記複数のレンズ群の一つを前記ズームカムの前記第２の領域に設定して、フォーカス調節を行うことを特徴とするズームカメラとするものである。
【００１７】
同じく上記目的を達成するために、請求項５に記載の発明は、請求項３に記載のレンズ装置と、被写体距離を測定する測距手段とを有し、所望とされるズーム位置まで前記複数のレンズ群が作動させられた際、前記複数のレンズ群のうちのフォーカス調節に用いられるレンズ群は前記第１の領域に位置し、撮影時における現在の被写体距離が前記第１の被写体距離に含まれる場合は、直ちに撮影動作を実行し、撮影時における現在の被写体距離が前記第２の被写体距離に含まれる場合は、前記レンズ駆動部材を介して前記フォーカス調節に用いられるレンズ群を前記第１の領域から前記第２の領域まで作動させて撮影動作を実行するズームカメラとするものである。
【００１８】
【発明の実施の形態】
以下、本発明を図示の実施の形態に基づいて詳細に説明する。
【００１９】
（実施の第１の形態）
図１〜図７は本発明の実施の第１の形態に係る図であり、詳しくは、図１は本発明の実施の第１の形態に係るカメラのズームレンズ鏡筒の横断面図、図２は図１に示したズームレンズ鏡筒の正面図である。図３は図１に示したズームレンズ鏡筒の縦断面図であり、レンズのワイド状態、テレ状態をそれぞれ示したものである。又図４は駆動リングの構造を示す図、図５は駆動リングの斜視図、図６は駆動リングの一部を省略して示す展開図、図７は一群レンズ、二群レンズの作動を示す図である。
【００２０】
図１〜図７において、１はズームレンズを構成する一群レンズ、２は二群レンズ、３は前述の一群レンズ１が組み込まれた一群レンズ鏡筒、４はズーム鏡筒である。前記一群レンズ鏡筒３はズーム鏡筒４に組み込まれている。前記一群レンズ鏡筒３の先端に例えば１２０度間隔で設けられた爪部３ａと、ズーム鏡筒４に設けられたテーパーカム部４ａとを当接させて組み付け、一群レンズ鏡筒３を回転させることにより、組み立て時のピント調整が可能なように構成されている。
【００２１】
５は図示しないシャッタ羽根を押さえる羽押さえ、６は前述の二群レンズ２が組み込まれた二群鏡筒である。７は駆動リングであり、固定筒８とヘリコイド部７ａにより結合し、回転によりカメラの前後に作動するように取り付けられている。
【００２２】
前記駆動リング７には図４等に示すようにカム部７ｂが具備され、該カム部７ｂは１２０度間隔に３個設けられている。このカム部７ｂに、前述の二群鏡筒６が、該二群鏡筒６の外周に１２０度間隔に３個設けられた腕部６ａを介してバネ９によって押し付けられ、さらに、該二群鏡筒６の腕部６ａはズーム鏡筒４に設けられた直進溝４ｂによって回転を規制されている。また、駆動リング７はその外周に設けられた爪７ｃによってズーム鏡筒４と回転可能にバヨネット結合し、ズーム鏡筒４はその腕部４ｃが固定筒８の直進溝と係合して回転規制されている。
【００２３】
１０は駆動ギアであり、軸１１により前記固定筒８に回転可能に取り付けられ、前記駆動リング７のヘリコイド部７ａに設けられたギアと噛み合い結合し、該駆動リング７を駆動する。１２はアイドラギアであり、ズーム地板１３に回転可能に取り付けられ、前記駆動ギア１０と噛み合い結合している。前記アイドラギア１２は、図示しないズーム駆動減速系およびそれを介して、図示しないズームモータによって回転させられる。また、前記アイドラギア１２にはパルス基板１４が取り付けられ、一体に回転する。
【００２４】
１５，１６はパルス接片であり、ズーム地板１３に取り付けられ、パルス基板１４の回転によりＯＮ，ＯＦＦ状態に切り換わり、図示しないカメラの制御回路に接続されている。１７はズーム鏡筒４のカバーである。
【００２５】
次に、カメラの作動について説明する。
【００２６】
図１はカメラの待機状態（沈胴状態）を示すもので、図示しないカメラのメインスイッチがＯＮすると、図示しないズームモータが回転し、同じく図示しないズーム駆動減速系及び前記アイドラ１２を介して駆動ギア１０が回転する。該駆動ギア１０が回転すると駆動リング７が回転し、該駆動リング７はそのヘリコイド部７ａによって回転しながらカメラ前方に移動する。この作動と同時に、固定筒８によって回転規制されたズーム鏡筒４がカメラ前方に繰り出され、一群レンズ１が繰り出される。さらに、二群レンズ２はズーム鏡筒４に回転規制され、駆動リング７の後述するカム部７ｂによって一群レンズ１に対して相対的に作動しながら、一群レンズ１とともにカメラ前方に繰り出される。つまり、図１の待機状態から図３の上図のワイド状態へと各レンズ群は繰り出される。
【００２７】
図６は駆動リング７の展開図を示すものであり、図中、１８は駆動リング７のヘリコイド部７ａによって繰り出されるズーム鏡筒４の軌跡を表す線、１８ｂは駆動リング７のカム部７ｂで作動させられる二群レンズ２の軌跡を表す線である。
【００２８】
前述の作動は、線１８で示す待機位置ＨＰ（図１の状態）から、Ｗで示すワイド位置（図３の上図で示す状態）までの作動である。この作動で、二群鏡筒６は駆動リング７のカム部７ｂによってその腕部６ａが、図６の６ａ−１に示す待機位置から６ａ−２に示すワイド位置まで作動させられる。尚、図６では詳細なカム形状は図示していないが、カム部７ｂは、後述の図７にて説明するように各ズーム位置において、所定の範囲で、規定の被写体距離よりも遠い被写体（以下、遠点の被写体と記す）に対してピントを合わせ続けるカム領域と、規定の被写体距離よりも近い被写体（以下、近点の被写体と記す）に対してピントを合わせ続けるカム領域を有する。
【００２９】
また、この作動の過程でアイドラ１２に取り付けられたパルス基板１４が回転し、パルス接片１５，１６をＯＮ，ＯＦＦさせ、規定数のパルスが発生したとき、ワイド位置と判定して、作動が停止する。本実施の形態では、パルス接片がＯＮの位置で停止する。
【００３０】
次に、ズーム動作について説明する。
【００３１】
図３の上図のワイド状態から図示しないズームスイッチのテレ釦が押されると、前述の作動と同様に、図示しないズームモータの回転により駆動リング７がテレ方向に回転し、テレ釦がＯＦＦした場合、パルス基板１４とパルス接片１５，１６によって発生させられるパルスのＯＮ信号が発生したときに停止（図３の下図のテレ状態）するように制御される。
【００３２】
また、図３の下図のテレ状態からワイド方向に作動する場合は、図示しないズームモータは逆回転し、駆動リング７はワイド方向に回転して、パルス基板１４とパルス接片１５，１６によって発生させられるパルスのＯＮ信号が発生し、ＯＦＦ信号になるまで作動させた後、前記ズームモータを正回転させ、駆動リング７をテレ側に回転させ、再びＯＮ信号が発生したときに作動を停止させる、所謂方寄せ動作を行う。これにより、例えば図３の上図のワイド状態となる。
【００３３】
次に、撮影時の作動について、図７を用いて説明する。
【００３４】
図７の上図において、１９は一群レンズ１の作動軌跡を示す線、２０は二群レンズ２の作動軌跡を示す線である。Ｗはワイド位置、Ｔはテレ位置、Ｍ１，Ｍ２はその中間位置での、それぞれズームの停止位置を示している。図７の上図は説明を分かりやすくするために、中間位置のポジション数、及び二群レンズの移動量等、省略及び誇張して描いている。
【００３５】
図７の下図の２３はパルス基板１４とパルス接片１５，１６によって発生させられるパルス信号の状態を示しており、図中上がＯＦＦ状態、図中下がＯＮ状態を示す。二群レンズ２の作動軌跡の線２０に重ねて示した二点鎖線の線２１は本実施の形態のように工夫をしない場合のズームカム曲線であり、遠点の被写体距離にピントが合うように設計された線である。同様に、二点鎖線の線２２も近い被写体距離にピントが合うように設計されたズームカム曲線で、線２１よりも被写体距離の近い近距離で（近点の被写体に対して）、ピントが合うように設計された線である。二群レンズ２の作動軌跡の線２０は、この線２１と線２２とを交互に結んだ線となっている。つまり、二群レンズ２の作動軌跡の線２０の２０ａの範囲では線２１上にあるため、遠点の被写体に対してピントが合い、２０ｂの範囲では線２２上にあるために、近点の被写体に対してピントが合うことになる。
【００３６】
ここで、カメラの図示しないメインスイッチのＯＮ動作により、待機位置からワイド位置へ駆動されたズーム鏡筒（図１→図３の上図の状態）は、パルス基板１４とパルス接片１５，１６によって発生させられるパルス信号の２３ａで示すＯＮ信号によって停止する。そして、カメラの図示しないレリーズ釦が押されると、図示しない公知の被写体距離を測定する測距装置により被写体距離の測定が行われ、得られた被写体距離が規定の距離より遠いと判定した場合には、ズーム鏡筒は作動しないまま、つまり遠点の被写体にピントを合わせ続けるカム領域（図７の２０ａの範囲内の何れか）でシャッタの開閉を行い、撮影動作を実行する。これにより、フォーカス制御時の停止位置がばらついても、換言すれば図７の２０ａの範囲内の何れかに停止されれば、簡単な構成のカメラでありながら、遠点の被写体にピントの合った撮影を行うことができる。
【００３７】
一方、被写体距離が規定の距離よりも近いと判定した場合には、図示しないズームモータが駆動され、ズーム鏡筒が繰り出されて、つまり近点の被写体にピントを合わせ続けるカム領域（図７の２０ｂの範囲内の何れか）まで繰り出されて、パルス基板１４とパルス接片１５，１６によって発生させられるパルス信号の２３ｂのＯＦＦ信号を検知して停止させた後、シャッタの開閉を行い、撮影動作を実行する。これにより、フォーカス制御時の停止位置がばらついても、換言すれば図７の２０ｂの範囲内の何れかに停止されれば、近点の被写体にピントの合った撮影を行うことができる。
【００３８】
他のズーム位置でも同様に、例えばワイド位置からカメラの図示しないズーム釦のテレ釦が押されると、ズーム鏡筒がテレ方向に駆動され、Ｍ１で示す中間位置の手前でズーム釦がＯＦＦされると、パルス信号２３ｃのＯＮ信号によりズーム鏡筒が停止し、ズームレンズの二群鏡筒６（二群レンズ２）は２０ｃで示す範囲に停止する。ここで、被写体距離が遠点の場合はこのまま撮影動作となり、被写体距離が近点の場合は、ズーム鏡筒を作動させ、パルス信号２３ｄのＯＦＦ信号で停止させて、二群レンズ２を２０ｄで示す範囲に停止させて撮影動作となる。
【００３９】
以上にようなズーム駆動時の停止制御で、ズーム駆動機構のイナーシャ、ＯＦＦ信号検知時のチャタリング吸収回路の遅れ、カメラの温度環境変化等により、ズームレンズの停止位置のばらつきが発生しても、前述したように、ある範囲内であればピントの変化がないカム領域を有する駆動リング７としているので、正確な停止制御を行わなくとも、又複雑な制御を可能にする制御回路を備えなくとも、ピントの合った写真が撮れることになる。
【００４０】
（実施の第２の形態）
次に、図８〜図１０を用いて本発明の実施の第２の形態について説明する。
【００４１】
図８は本発明の実施の第２の形態に係るカメラのズームレンズ鏡筒の待機状態（沈胴状態）を示す断面図であり、ズームレンズ及びその保持機構に関しては上記実施の第１の形態と同様であり、その説明は省略する。
【００４２】
上記実施の第１の形態と異なる点についてのみ説明すると、図８において、２４は固定筒、２５は前記固定筒２４に回転可能に取り付けられた駆動リングである。２６は一群ズーム鏡筒であり、その後方の外周に１２０度間隔で３個配置された腕部２６ａを有し、前記固定筒２４によって回転規制され、前記駆動リング２５に設けられたカムに腕部２６ａの先端が係合している。２７は二群鏡筒であり、その外周に１２０度間隔で３個配置された腕部２７ａを有し、前記一群ズーム鏡筒２６と同様に、前記固定筒２４によって回転規制され、前記駆動リング２５に設けられたカムに腕部２７ａの先端が係合している。
【００４３】
この構成により、駆動リング２５を回転すると、該駆動リング２５の内面に設けられたカムにより、一群ズーム鏡筒２６及び二群鏡筒２７が繰り出され、図９に示すワイド状態、もしくは、図１０に示すテレ状態まで、それぞれ作動する。この構成をとることにより、一群レンズ１、二群レンズ２を独立で駆動できる。なお、２８はズーム鏡筒２６のカバーである。
【００４４】
次に、本実施の第２の形態について、図１１を用いて説明する。
【００４５】
図１１において、２９は一群レンズ１の作動軌跡を示す線、３０は二群レンズ２の作動軌跡を示す線である。線２９、線３０は前述の駆動リング２５の内面に設けられたカム形状を示すものであり、該駆動リング２５の内面に１２０間隔で３個同一形状のカムが形成されていて、一群ズーム鏡筒２６の腕部２６ａと、二群レンズ鏡筒２７の腕部２７ａと、各々係合し、駆動リング２５の回転により、一群ズーム鏡筒２６及び二群鏡筒２７が繰り出される。また、上記実施の第１の形態と同様に、Ｗはワイド位置、Ｔはテレ位置、Ｍ１，Ｍ２はその中間位置での、それぞれのズームの停止位置を示している。
【００４６】
一群レンズの作動軌跡の線２９に重ねて示した二点鎖線の線３１は本実施の形態のように工夫をしていない場合のズームカム曲線であり、遠点の被写体に対してピントが合うように設計された線である。同様に、二点鎖線の線３２も近点の被写体に対してピントが合うように設計されたズームカム曲線であり、線３１よりも被写体距離の近い近距離でピントが合うように設計された線である。一群レンズの作動軌跡の線２９は、この線３１と線３２とを交互に結んだ線となっている。
【００４７】
この構成をとることにより、上記実施の第１の形態と同様に、例えばワイド端であれば、一群レンズの作動軌跡の線２９の２９ａの範囲内の何れかで該一群レンズを停止させれば、遠点の被写体の対してピントを合わせることができ、２９ｂの範囲内の何れかで停止させれば、近点の被写体に対してピントが合わせることができる。
【００４８】
作動に関しては、上記実施の第１の形態と同様であるので、その説明は省略する。
【００４９】
この構成は、二群ズームレンズの特性で、一群レンズのカムが直線で、近点に繰り出すときの作動量がズーム位置が変化しても同じであるため、カムが作り易いという利点がある。
【００５０】
（実施の第３の形態）
次に、本発明の実施の第３の形態について、図１２を用いて説明する。なお、カメラのズームレンズ鏡筒の構成は、上記図８〜図１０と同様であり、その作動は上記実施の第１の形態と同様であるものとし、その詳細な説明は省略する。
【００５１】
図１２において、３３は一群レンズの作動軌跡を示す線、３４は二群レンズの作動軌跡を示す線である。前述の実施の第２の形態と同様、線３３、線３４は前述の駆動リング２５の内面に設けられたカム形状を示すものであり、該駆動リング２５の内面に１２０間隔で３個同一形状のカムが形成されていて、一群ズーム鏡筒２６の腕部２６ａと、二群レンズ鏡筒２７の腕部２７ａと、各々係合し、駆動リング２５の回転により、一群ズーム鏡筒２６及び二群鏡筒２７が繰り出される。また、上記実施の第１の形態と同様に、Ｗはワイド位置、Ｔはテレ位置、Ｍ１，Ｍ２はその中間位置での、それぞれズームの停止位置を示している。
【００５２】
一群レンズの作動軌跡の線３３に重ねて示した二点鎖線の線３５と、二群レンズの作動軌跡の線３４に重ねて示した二点鎖線の線３６は、それぞれ本実施の形態のように工夫をしていない場合のズームカム曲線であり、遠点の被写体に対してピントが合うように設計された線である。
【００５３】
この構成をとることにより、例えばワイド端で説明すると、二群レンズはワイド端の停止位置から３４ａで示す所定の範囲はその位置を変化させないカム領域を有しており、その間に、一群レンズは３３ａで示す範囲で、やはりその位置を変化させないカム領域を有していて、この位置では遠点の被写体に対してピントが合い、３３ｂで示す範囲で、同様にその位置を変化させないカム領域を有しており、この位置では近点の被写体に対してピントが合う構成となっている。
【００５４】
本発明の実施の第３の形態における構成は、撮影時に二群レンズの位置が変化しないため、上記実施の第１及び第２の形態に比べて像倍率の変化が無いという利点がある。
【００５５】
上記の実施の各形態では、二つのレンズ群１，２を有するカメラを想定しているが、これに限定されるものではなく、三つ以上のレンズ群によりズーム位置調節とフォーカス調節を行う構成のカメラにも同様に適用できるものである。この場合も、フォーカス調節に係るレンズ群の位置制御を、図６、図１１又は図１２のように行えばよい。
【００５６】
また、予め規定された被写体距離を基準として、該被写体距離よりも遠い距離の被写体に対してピントを合わせることができるカム領域と、該被写体距離よりも近い距離の被写体に対してピントを合わせることができるカム領域を有する駆動リング７，２５を具備した例を示しているが、予め規定された異なる複数の被写体距離を基準として、それぞれの被写体距離を基準として遠点側と近点側の被写体それぞれに対してピントを合わせることができるようなカム領域を有する駆動リングを有する構成にしてもよい。つまり、フォーカス調節の為の位置が２点でなく、３点以上であってもよい。
【００５７】
以上の実施の各形態によれば、複数のレンズ群（１，２）より成るズームレンズと、前記複数のレンズ群をズーム及びフォーカスの調節（制御）の為に作動させるレンズ駆動部材（図１では、４，６，７）とを有し、前記レンズ駆動部材は、前記ズームの為の前記複数のレンズ群の作動過程において、所定の範囲で、少なくとも、第１の被写体距離にピントを合せ続ける第１の領域（例えば図５の２０ａの範囲に駆動リングを停止させ続ける領域）と第２の被写体距離にピントを合せ続ける第２の領域（例えば図７の２０ｂの範囲に駆動リングを停止させ続ける領域）を有している。
【００５８】
詳しくは、前記レンズ駆動部材は、前記ズームの調節の為の前記複数のレンズ群の作動過程において、所定の範囲で、少なくとも、第１の被写体距離にピントを合せ続ける第１のカム領域（例えば図７の２０ａの範囲に駆動リングを停止させ続ける領域）と第２の被写体距離にピントを合せ続ける第２のカム領域（例えば図７の２０ｂの範囲に駆動リングを停止させ続ける領域）を有するズームカム（駆動リング７の７ａ等）を有し、前記第１のカム領域と前記第２のカム領域は交互に連続して設けられている。
【００５９】
前記第１の領域と前記第２の領域は、切り換え可能なズーム位置において何れかを選択可能なように設けられている。詳しくは、図７を用いて説明すると、例えばワイド（Ｗ）のズーム位置において、遠点の被写体に対して合焦し続ける２０ａと近点の被写体に対して合焦し続ける２０ｂの各範囲（カム領域）を選択可能にしている。
【００６０】
よって、所定の範囲に、交互に遠点と近点の被写体に対して合焦し続ける領域（カム領域）を設けるという簡単な構成で、ズーム鏡筒のフォーカス調節を行うことが出来、また、そのズーム鏡筒の停止位置がばらついても、一定の被写体距離（規定の被写体距離に対して遠点側もしくは近点側の被写体距離）にピントを合わせることが出来るために、その制御回路を簡素化でき、又ズーム鏡筒の位置検知（モータの回転位置検知）も簡素化することができ、コストの安いレンズ装置やズームカメラとすることができる。
【００６１】
【発明の効果】
以上に説明したように、本発明によれば、フォーカス調節時の停止位置がばらついても、被写体にピントを合わせることができると共に、フォーカス調節の為の回路構成を簡素化でき、低コストのカメラのレンズ装置又はズームカメラを提供できるものである。
【図面の簡単な説明】
【図１】本発明の実施の第１の形態に係るレンズ鏡筒の沈胴状態を示す横断面図である。
【図２】図１のレンズ鏡筒の正面図である。
【図３】図１のレンズ鏡筒の縦断面図である。
【図４】図１に示す駆動リングの構造を示す図である。
【図５】図１に示す駆動リングを示す斜視図である。
【図６】図１に示す駆動リングの展開図である。
【図７】本発明の実施の第１の形態に係る一群レンズ、二群レンズの作動を示す図である。
【図８】本発明の実施の第２〜４の各形態に係るレンズ鏡筒の沈胴状態を示す縦断面図である。
【図９】図８のワイド状態を示す図である。
【図１０】図８のテレ状態を示す図である。
【図１１】本発明の実施の第３の形態に係る一群レンズ、二群レンズの作動を示す図である。
【図１２】本発明の実施の第４の形態に係る一群レンズ、二群レンズの作動を示す図である。
【図１３】従来例の一群レンズ、二群レンズの作動の一例を示す図である。
【図１４】従来例の一群レンズ、二群レンズの作動の他の例を示す図である。
【符号の説明】
１　　　一群レンズ
２　　　二群レンズ
４　　　ズーム鏡筒
６　　　二群鏡筒
７　　　駆動リング
８　　　固定筒
１０　　駆動ギア
２５　　駆動リング
２６　　一群ズーム鏡筒
２７　　二群鏡筒
【図１】
2004012959.tif 000003
【図２】
2004012959.tif 000004
【図３】
2004012959.tif 000005
【図４】
2004012959.tif 000006
【図５】
2004012959.tif 000007
【図６】
2004012959.tif 000008
【図７】
2004012959.tif 000009
【図８】
2004012959.tif 000010
【図９】
2004012959.tif 000011
【図１０】
2004012959.tif 000012
【図１１】
2004012959.tif 000013
【図１２】
2004012959.tif 000014
【図１３】
2004012959.tif 000015
【図１４】
2004012959.tif 000016